(57)【要約】【課題】内蔵タグを備えたリーダライタ機器の性能低下を防ぐこと。【解決手段】アクセス対象のＲＦＩＤタグをリード／ライトするリーダライタ部１２と、内蔵タグ１６を含む内蔵タグ部１１と、少なくともリーダライタ部１２の動作時に、内蔵タグ部１１を非能動化させる制御部１３と、を備える。【選択図】図１
2011048600.tif 000002
【特許請求の範囲】
【請求項１】
アクセス対象のＲＦＩＤタグをリード／ライトするリーダライタ部と、
自装置に内蔵されたＲＦＩＤタグを含む内蔵タグ部と、
少なくとも前記リーダライタ部の動作時に、前記内蔵タグ部を非能動化させる制御部と、
を備えるリーダライタ装置。 
【請求項２】
前記内蔵タグ部は、
前記内蔵タグ部の能動化又は非能動化を決定するための機能を有するイネーブル部を備え、
前記制御部は、
前記リーダライタ部の動作時に、前記イネーブル部に前記内蔵タグ部を非能動化させる制御信号を入力して前記イネーブル部により前記内蔵タグ部を非能動化させる請求項１に記載のリーダライタ装置。
【請求項３】
前記内蔵タグ部は、
前記内蔵タグ部のアンテナの利得特性を調整するためのマッチング回路と、
前記内蔵タグ部のアンテナの利得特性を変化させるための利得変化部と、を備え、
前記制御部は、
前記リーダライタ部の動作時に、前記利得変化部に前記内蔵タグ部のアンテナの利得特性を変化させる制御信号を入力して前記内蔵タグ部を非能動化させる請求項１又は２に記載のリーダライタ装置。
【請求項４】
前記内蔵タグ部は、
前記内蔵タグ部のアンテナの利得特性を調整するためのマッチング回路と、
前記マッチング回路と、前記内蔵されたＲＦＩＤタグとの線路を切断又は接続するためのスイッチと、を備え、
前記制御部は、
前記リーダライタ部の動作時に、前記スイッチに前記マッチング回路と前記内蔵されたＲＦＩＤタグとの線路を切断するための制御信号を入力して前記内蔵タグ部を非能動化させる請求項１又は２に記載のリーダライタ装置。  
【請求項５】
前記内蔵タグ部と前記リーダライタ部とで共通の共通アンテナと、
前記共通アンテナと前記内蔵タグ部のマッチング回路又は前記リーダライタ部のマッチング回路とを切換接続するための切換スイッチと、を備え、
前記制御部は、
前記リーダライタ部の動作時に、前記切換スイッチに前記共通アンテナと前記リーダライタ部のマッチング回路とを接続させるための制御信号を入力して前記内蔵タグ部を非能動化させる請求項１から４のいずれか一項に記載のリーダライタ装置。
【発明の詳細な説明】
【技術分野】
【０００１】
本発明はリーダライタ装置に関する。
【背景技術】
【０００２】
従来、ＲＦＩＤ（Radio frequency Identification）アンテナを有し、このＲＦＩＤアンテナによりＩＣ（Integrated Circuit）タグ（ＲＦＩＤタグ）や非接触ＩＣカードに記録された情報を非接触に読み取り、また情報を書き込むＲＦＩＤ機能を有するハンディターミナル、ＰＤＡ（Personal Digital Assistant）等のリーダライタ機器が知られている。ＲＦＩＤタグは、例えば、生産された商品に付され、その商品の識別情報（固体識別情報）が記録される。また、非接触ＩＣカードは、例えば、電車，バス等の乗車券、電子マネーの情報の記録に用いられる。
【０００３】
ＲＦＩＤは、複数のタグ（ＲＦＩＤタグ）への同時アクセスが可能である、ＲＦＩＤタグ内の不揮発性メモリに情報の書き込みができる、リーダライタ機器のアンテナとアクセス対象のＲＦＩＤタグのアンテナとの間に障害物があってもアクセスが可能である、ＲＦＩＤタグに電源は不要である、ＲＦＩＤタグ毎に固体識別情報が存在する、といった特徴がある。
【０００４】
また、上述のＲＦＩＤタグを内蔵した構成のリーダライタ機器も想定されている。以下、リーダライタ機器自体に内蔵されたＲＦＩＤタグを内蔵タグと記す。
【０００５】
図８に、内蔵タグを備えたリーダライタ機器１００の回路構成を示す。図８に示すように、リーダライタ機器１００は、内蔵タグ部１０１と、リーダライタ部１０２と、制御部１０３と、を備えて構成される。
【０００６】
内蔵タグ部１０１は、アンテナ１０４と、マッチング回路１０５と、タグＩＣ（内蔵タグ）１０６と、を備える。アンテナ１０４は、アクセス元の外部のリーダライタ機器との間で電波の送受信を行う。マッチング回路１０５は、アンテナ１０４の利得調整用の回路である。内蔵タグ１０６は、Ａｎｔ端子１０６Ａを備える。また、内蔵タグ１０６は、アンテナ１０４が受信した電波を動作電源とする。
【０００７】
リーダライタ部１０２は、アンテナ１０７と、マッチング回路１０８と、リーダライタＩＣ１０９と、を備えて構成される。アンテナ１０７は、アクセス対象のＲＦＩＤタグとの間で電波の送受信を行う。マッチング回路１０８は、アンテナ１０７の利得調整用の回路である。
【０００８】
リーダライタＩＣ１０９は、Ａｎｔ端子１０９Ａと、制御端子１０９Ｂと、シリアル端子１０９Ｃと、を備える。Ａｎｔ端子１０９Ａは、アンテナ１０７及びマッチング回路１０８と接続される。制御端子１０９Ｂは、回路線を介してＣＰＵ１０３ＡのＧＰＩＯ１０３Ｂと接続される。シリアル端子１０９Ｃは、回路線を介してＣＰＵ１０３Ａのシリアル端子１０３Ｃと接続される。
【０００９】
制御部１０３は、ＣＰＵ（Central Processing Unit）１０３Ａにより構成される。ＣＰＵ１０３Ａは、リーダライタ機器１００の各部を中央制御する。また、ＣＰＵ１０３Ａは、ＧＰＩＯ（General Purpose I/O）１０３Ｂと、シリアル端子１０３Ｃと、を備える。
【００１０】
ＧＰＩＯ１０３Ｂは、回路線を介してリーダライタＩＣ１０９の制御端子１０９Ｂ及びスイッチ１０９Ｄと接続される。スイッチ１０９Ｄは、リーダライタＩＣ１０９に電圧Ｖｃｃを供給するか否かを切り換えるためのスイッチである。シリアル端子１０３Ｃは、回路線を介してリーダライタＩＣ１０９のシリアル端子１０９Ｃと接続される。
【００１１】
図８に示すリーダライタ機器１００における内蔵タグを用いたアプリケーションの一例としては、リーダライタ機器１００の製造工程の管理が挙げられる。具体的には、内蔵タグ部１０１をリーダライタ機器１００の製品管理用タグとし、リーダライタ機器１００の内蔵タグ１０６内の不揮発性メモリに、製品管理情報（製品のトレーサビリティ、製品のリビジョン又はモデル名の情報等）などを書き込む（記憶する）。これにより、例えば、製品の保証期間に製造元にリーダライタ機器１００が戻ってきた場合、製造者は内蔵タグ内の不揮発性メモリに記憶された製品管理情報を読み込むことで、製品の製造工程（いつリーダライタ機器１００が出荷されたかについての情報等）を把握することができる。
【００１２】
また、ＩＤタグとＩＤタグ用リーダライタの両機能を備えた通信装置において、ＩＤタグ機能とリーダ・ライタ機能に共通の部分を設け、通信装置の構成を簡略化する技術も知られている（例えば、特許文献１参照）。
また、無線タグ及び無線タグ・リーダ／ライタ機能の双方を備えた無線通信装置において、外部の無線タグ・リーダ／ライタからスリープ要求を受信したときに、無線タグにおける受動的な信号送信を禁止することに連動して、無線タグ・リーダ／ライタにおける能動的な信号送信も禁止することにより、他の無線タグリーダ・ライタとの互いの要求信号の干渉を軽減する技術も知られている（例えば、特許文献２参照）。
また、プリンタの電源のＯＮ／ＯＦＦに応じて、通信回路及びリーダ／ライタモジュールのいずれかにループアンテナを接続することで、自己のリーダ／ライタモジュールが自己の通信回路と通信してしまう可能性を低減することのできる技術も知られている（例えば、特許文献３参照）。
また、アンテナコイルとともに共振回路を構成するコンデンサの静電容量を変化させることで、非接触識別タグが外部装置と通信可能となる技術も知られている（例えば、特許文献４参照）。
【先行技術文献】
【特許文献】
【００１３】
【特許文献１】特開２００６−１７２３５９号公報
【特許文献２】特開２００３−１５０９１６号公報
【特許文献３】特開２００５−１４８８２０号公報
【特許文献４】特開２００６−２１６０８３号公報
【発明の概要】
【発明が解決しようとする課題】
【００１４】
上述の内蔵タグを備えたリーダライタ機器１００の構成においては、リーダライタ機器１００がリーダライタ機能（リーダライタ部１０２のアクセス対象であるＲＦＩＤタグと情報の送受信を行うための機能）を実行すると、内蔵タグ１０６がリーダライタ機能の通信範囲に入ってしまう。そうすると、内蔵タグ１０６もリーダライタ部１０２に応答（レスポンス）を返してしまうため、内蔵タグ１０６と、アスセス対象であるＲＦＩＤタグとの混信が発生する恐れがある。
また、上述の特許文献１〜４には、内蔵タグとアクセス対象であるＲＦＩＤタグとの混信を防ぐ技術は記載されていない。
【００１５】
内蔵タグを備えたリーダライタ機器の場合、リーダライタ機能の通信範囲内にＲＦＩＤタグが１つしかない場合であっても、内蔵タグと通信範囲内のＲＦＩＤタグとの混信を回避するための制御を行う必要がある。しかし、リーダライタ機器が混信を回避するための制御を実行した場合、目的（アクセス対象）のＲＦＩＤタグとの通信の開始までに時間を要し、製品性能（リーダライタ機器の性能）の低下につながるという問題がある。
【００１６】
ここで、図９〜図１１を参照して、リーダライタ機器の製品性能の低下について詳細に説明する。図９は、リーダライタ機器の通信範囲内にＲＦＩＤタグが１つある場合に、ＲＦＩＤタグ（タグ１）を検出（探索）するために要する処理時間を示す。このとき、リーダライタ機器は、内蔵タグを備えない構成であるものとする。
通常、リーダライタＩＣは、ＲＦＩＤタグのリードライト時（リーダライタ機能の実行時）にＲＦＩＤタグを検出するための処理を行うが、電波の衝突（ＲＦＩＤタグの混信）を回避するために、タグ探索コマンド（ＲＦＩＤタグを検出するためのコマンド）に対応するＲＦＩＤタグからのレスポンスの受信処理にタイムスロットを用いるのが一般的である。具体的には、図９に示すように、１個のＲＦＩＤタグ（タグ１）からのレスポンス時において、１つのタイムスロット１を用いる。この場合、ＲＦＩＤタグを検出するために要する処理時間はＴ１となる。
【００１７】
図１０は、リーダライタ機器の通信範囲内にＲＦＩＤタグが２個ある場合において、ＲＦＩＤタグを検出するために要する処理時間を示す。ここで、図１０に示すタグ１は内蔵タグであり、タグ２は通信範囲内に存在するＲＦＩＤタグであるものとする。この場合、タイムスロットを１つとすると、通信範囲内にＲＦＩＤタグが２個（タグ１、タグ２）存在するため、リーダライタＩＣがレスポンスの受信処理を行う際、それぞれのＲＦＩＤタグからの電波が衝突し、混信が起きる。すなわち、内蔵タグを備えたリーダライタ機器は、ＲＦＩＤタグが１個でも通信範囲内に入ると、混信が起きてしまい、通信性能が低下する。
【００１８】
混信を回避するため、図１１に示すように、タイムスロットをｎ（＞１）とすると、それぞれのＲＦＩＤタグ（タグ１、タグ２）のレスポンスの受信処理にタイムスロット（タイムスロット１、タイムスロット３）が用いられる。ここで、図１１に示すタグ１は内蔵タグであり、タグ２は通信範囲内に存在するＲＦＩＤタグであるものとする。この場合、それぞれのＲＦＩＤタグにタイムスロットが用いられるので、複数のＲＦＩＤタグが通信範囲内に存在しても対応可能となる（混信が起きない状態となる）。しかし、タイムスロットが増える分、処理時間はＴｎ（Ｔｎ＞Ｔ１）となる。このため、処理時間が長くなってしまい、リーダライタ機器のタグ探索性能の低下を招いてしまう
【００１９】
本発明の課題は、内蔵タグを備えたリーダライタ機器の性能低下を防ぐことである。
【課題を解決するための手段】
【００２０】
以上の課題を解決するため、請求項１に記載の発明のリーダライタ装置は、
アクセス対象のＲＦＩＤタグをリード／ライトするリーダライタ部と、
自装置に内蔵されたＲＦＩＤタグを含む内蔵タグ部と、
少なくとも前記リーダライタ部の動作時に、前記内蔵タグ部を非能動化させる制御部と、を備える。 
【００２１】
請求項２に記載の発明は、請求項１に記載のリーダライタ装置において、
前記内蔵タグ部は、
前記内蔵タグ部の能動化又は非能動化を決定するための機能を有するイネーブル部を備え、
前記制御部は、
前記リーダライタ部の動作時に、前記イネーブル部に前記内蔵タグ部を非能動化させる制御信号を入力して前記イネーブル部により前記内蔵タグ部を非能動化させる。
【００２２】
請求項３に記載の発明は、請求項１又は２に記載のリーダライタ装置において、
前記内蔵タグ部は、
前記内蔵タグ部のアンテナの利得特性を調整するためのマッチング回路と、
前記内蔵タグ部のアンテナの利得特性を変化させるための利得変化部と、を備え、
前記制御部は、
前記リーダライタ部の動作時に、前記利得変化部に前記内蔵タグ部のアンテナの利得特性を変化させる制御信号を入力して前記内蔵タグ部を非能動化させる。
【００２３】
請求項４に記載の発明は、請求項１又は２に記載のリーダライタ装置において、
前記内蔵タグ部は、
前記内蔵タグ部のアンテナの利得特性を調整するためのマッチング回路と、
前記マッチング回路と、前記内蔵されたＲＦＩＤタグとの線路を切断又は接続するためのスイッチと、を備え、
前記制御部は、
前記リーダライタ部の動作時に、前記スイッチに前記マッチング回路と前記内蔵されたＲＦＩＤタグとの線路を切断するための制御信号を入力して前記内蔵タグ部を非能動化させる。  
【００２４】
請求項５に記載の発明は、請求項１から４のいずれか一項に記載のリーダライタ装置において、
前記内蔵タグ部と前記リーダライタ部とで共通の共通アンテナと、
前記共通アンテナと前記内蔵タグ部のマッチング回路又は前記リーダライタ部のマッチング回路とを切換接続するための切換スイッチと、を備え、
前記制御部は、
前記リーダライタ部の動作時に、前記切換スイッチに前記共通アンテナと、前記リーダライタ部のマッチング回路とを接続させるための制御信号を入力して前記内蔵タグ部を非能動化させる。  
【発明の効果】
【００２５】
本発明によれば、内蔵タグを備えたリーダライタ機器の性能低下を防ぐことができる。
【図面の簡単な説明】
【００２６】
【図１】本発明に係る実施の形態のリーダライタ機器の回路構成を示す図である。
【図２】本発明に係る実施の形態の動作シーケンスを示す図である。
【図３】第１の変形例のリーダライタ機器の回路構成を示す図である。
【図４】第１の変形例の動作シーケンスを示す図である。
【図５】第１の変形例の別のリーダライタ機器の回路構成を示す図である。
【図６】第２の変形例のリーダライタ機器の回路構成を示す図である。
【図７】第２の変形例の動作シーケンスを示す図である。
【図８】従来例のリーダライタ機器の回路構成を示す図である。
【図９】通信範囲内にタグが１つある場合における処理時間を示した図である。
【図１０】通信範囲内にタグが２つある場合における処理時間を示した図である。
【図１１】タイムスロットを複数用いた場合における処理時間を示した図である。
【発明を実施するための形態】
【００２７】
以下、添付図面を参照して本発明に係る実施の形態の一例を詳細に説明する。ただし、発明の範囲は、図示例に限定されない。  
【００２８】
図１及び図２を参照して、本発明に係る実施の形態を説明する。先ず、図１を参照して、本発明に係るリーダライタ装置としてのリーダライタ機器１の回路構成図を説明する。図１に示すように、リーダライタ機器１は、内蔵タグ部１１と、リーダライタ部１２と、制御部１３と、を備えて構成される。
【００２９】
内蔵タグ部１１は、アンテナ１４と、マッチング回路１５と、タグＩＣ１６と、を備える。アンテナ１４は、アクセス元の外部のリーダライタ機器（図示省略）との間で電波の送受信を行う。マッチング回路１５は、アンテナ１４の利得調整用の回路である。
【００３０】
タグＩＣ（内蔵タグ）１６は、アンテナ１４が電波を受信した場合、当該受信した電波により動作電力を作る。また、内蔵タグ１６は、Ａｎｔ端子１６Ａと、イネーブル部（以下、Ｅｎａｂｌｅ部）１６Ｂと、を備える。Ａｎｔ端子１６Ａは、アンテナ１４及びマッチング回路１５と接続する。
【００３１】
Ｅｎａｂｌｅ部１６Ｂは、Ｅｎａｂｌｅ信号を受信する端子部と、Ｅｎａｂｌｅ機能を有するＥｎａｂｌｅ機能部と、を備えて構成される。Ｅｎａｂｌｅ信号とは、内蔵タグ部１１を動作させるか又は動作させないか（内蔵タグ部１１を能動化させるか又は非能動化させるか）を決定するための制御信号である。以下では例として、Ｅｎａｂｌｅ信号は２値（Ｈｉ，Ｌｏ）のローアクティブの電圧信号とする。
【００３２】
Ｅｎａｂｌｅ機能とは、アンテナ１４から内蔵タグ１６へ電力が供給された場合に、端子部の電圧値（端子電圧）に基づいて、内蔵タグ部１１の能動化又は非能動化を決定するための機能である。
【００３３】
例えば、リーダライタ部１２のアンテナ１７、又は外部のアンテナ（例えば、リーダライタ機器１のアクセス対象のＲＦＩＤタグのアンテナや内蔵タグ１６へのアクセス元の外部のリーダライタ機器のアンテナ等）から送信された電波がアンテナ１４により受信され、当該受信された電波により内蔵タグ１６への電力供給が発生したとする。このとき、リーダライタ部１２が動作中（リーダライタ部１２がアクセス対象のＲＦＩＤタグと通信動作中）の場合、ＣＰＵ１３Ａの指示により、ＣＰＵ１３Ａに備えられたＥｎａｂｌｅ端子（後述）の端子電圧がハイの端子電圧に設定されるとともに、Ｅｎａｂｌｅ信号がハイの電圧値を示す信号（内蔵タグ部１１を非能動化させるための信号）に設定される。そして、ＣＰＵ１３Ａの指示により、Ｅｎａｂｌｅ信号は、Ｅｎａｂｌｅ部１６Ｂに入力される。このとき、Ｅｎａｂｌｅ信号はハイの電圧値を示す信号であるので、端子部の端子電圧もハイの電圧となる。そうすると、Ｅｎａｂｌｅ機能部により、端子部の端子電圧（ハイの電圧）に基づいて、内蔵タグ部１１が非能動化される。すなわち、リーダライタ部１２が動作中である場合は、ＣＰＵ１３Ａの指示に基づいて、内蔵タグ部１１が非能動化される。
【００３４】
また、アンテナ１４により受信された電波により内蔵タグ１６への電力供給が発生したとき、リーダライタ部１２が動作中でない場合（例えば、リーダライタ機器１の電源がＯＦＦである場合や保守モードの実行時である場合）は、端子部の端子電圧はローの電圧となる。例えば、電源がＯＦＦである場合、ＣＰＵ１３Ａには電圧Ｖｃｐｕは供給されず、且つ、リーダライタＩＣ１９には電圧Ｖｒｗは供給されない。この場合、ＣＰＵ１３ＡのＥｎａｂｌｅ端子の端子電圧は、自動的にローの電圧（ゼロ電圧）となり、Ｅｎａｂｌｅ信号も自動的にローの電圧値を示す信号となる。また、Ｅｎａｂｌｅ信号がローの電圧値を示す信号であるので、端子部の端子電圧もローの電圧となる。そうすると、Ｅｎａｂｌｅ機能部により、端子部の端子電圧（ローの電圧）に基づいて、内蔵タグ部１１が能動化される。
【００３５】
また、例えば、リーダライタ機器１が保守モードの実行時の場合でも、端子部はローの電圧となる。保守モードとは、例えば、リーダライタ機器１が保証のため製造元に戻ってきたときに、内蔵タグ１６に書き込まれている製品管理情報（例えば、リーダライタ機器１がいつ出荷されたかについての情報等）を読み込むために実行されるモードのことをいう。この場合、電源がＯＦＦであるときと同様に、Ｅｎａｂｌｅ機能部により、端子部の端子電圧（ローの電圧）に基づいて、内蔵タグ部１１が能動化される。
【００３６】
リーダライタ部１２は、アクセス対象のＲＦＩＤタグをリード／ライトする。また、リーダライタ部１２は、アンテナ１７と、マッチング回路１８と、リーダライタＩＣ１９と、を備えて構成される。アンテナ１７は、アクセス対象であるＲＦＩＤタグ（図示省略）との間で電波の送受信を行う。マッチング回路１８は、アンテナ１７の利得調整用の回路である。
【００３７】
リーダライタＩＣ１９は、Ａｎｔ端子１９Ａと、制御端子１９Ｂと、シリアル端子１９Ｃと、を備える。Ａｎｔ端子１９Ａは、アンテナ１７及びマッチング回路１８と接続される。制御端子１９Ｂは、回路線を介してＣＰＵ１３ＡのＧＰＩＯ１３Ｂ（後述）と接続される。シリアル端子１９Ｃは、回路線を介してＣＰＵ１３Ａのシリアル端子１３Ｃ（後述）と接続される。
【００３８】
制御部１３は、ＣＰＵ１３Ａにより構成される。ＣＰＵ１３Ａは、リーダライタ機器１の各部を中央制御する。
【００３９】
また、ＣＰＵ１３Ａは、リーダライタ部１２が動作中である場合、内蔵タグ部１１を非能動化する。具体的には、ＣＰＵ１３Ａは、リーダライタ部１２が動作中である場合、Ｅｎａｂｌｅ部１６Ｂに内蔵タグ部１１を非能動化させる制御信号（ハイの電圧値を示すＥｎａｂｌｅ信号）を入力し、Ｅｎａｂｌｅ部１６Ｂにより内蔵タグ部１１を非能動化させる。
【００４０】
また、ＣＰＵ１３Ａは、ＧＰＩＯ（General Purpose I/O）１３Ｂと、シリアル端子１３Ｃと、を備える。
【００４１】
ＧＰＩＯ１３Ｂは、Ｅｎａｂｌｅ端子と、リーダライタ用端子と、を備えて構成される（いずれも図示省略）。Ｅｎａｂｌｅ端子は、回路線を介してＥｎａｂｌｅ部１６Ｂと接続される。リーダライタ用端子は、回路線を介してリーダライタＩＣ１９の制御端子１９Ｂ及びスイッチＳＷ１と接続される。スイッチＳＷ１は、電圧ＶｒｗをリーダライタＩＣ１９に供給するか否かを切り換えるためのスイッチである。シリアル端子１３Ｃは、回路線を介してリーダライタＩＣ１９のシリアル端子１９Ｃと接続される。
【００４２】
次に、図２を参照して動作シーケンスについて説明する。図２は、ＣＰＵ１３ＡのＥｎａｂｌｅ端子、シリアル端子１３Ｃ、リーダライタＩＣ１９のＳｔａｔｕｓ（状態）、Ａｎｔ端子１９Ａ、内蔵タグ１６のＡｎｔ端子１６Ａ、内蔵タグ１６のＳｔａｔｕｓ、リーダライタ機器１のアクセス対象であるＲＦＩＤタグを示すタグ（ＲＷ対象物）、の動作シーケンスを示す図である。
【００４３】
先ず、ＣＰＵ１３Ａによりタグ探索コマンドがシリアル端子１３Ｃを介してリーダライタＩＣ１９に送信され（図２中のＣＰＵ１３Ａのシリアル端子におけるコマンド送信（ｔｏ  ＲＷ  ＩＣ）に該当）、当該送信されたタグ探索コマンドがリーダライタＩＣ１９により受信される（図２中のリーダライタＩＣ１９のＳｔａｔｕｓにおけるシリアル受信（ｆｒｏｍ  ＣＰＵ）に該当）。このとき、ＣＰＵ１３ＡのＥｎａｂｌｅ端子の端子電圧はロー（図２中のＣＰＵ１３ＡのＥｎａｂｌｅ端子におけるＥｎａｂｌｅに該当）であり、内蔵タグ１６及びタグ（ＲＷ対象物）の状態は電源ＯＦＦ（図２中の内蔵タグ部１１のＳｔａｔｕｓにおけるＰｏｗｅｒ  Ｄｏｗｎ及びタグ（ＲＷ対称物）におけるＰｏｗｅｒ  Ｄｏｗｎに該当）である。
【００４４】
そして、リーダライタＩＣ１９が電波の出力を始める前（リーダライタ部１２が動作を開始する前）に、ＣＰＵ１３Ａにより、ＣＰＵ１３ＡのＥｎａｂｌｅ端子の端子電圧がロー（図２中のＣＰＵ１３ＡのＥｎａｂｌｅ端子におけるＥｎａｂｌｅに該当）からハイ（図２中のＣＰＵ１３ＡのＥｎａｂｌｅ端子におけるＤｉｓａｂｌｅに該当）に変化させられる。そして、リーダライタＩＣ１９より電波の出力が開始されると、内蔵タグ１６のアンテナ１４により、リーダライタ部１２のアンテナ１７から出力された電波が受信される。これにより、内蔵タグ１６へ動作電力の供給が開始される。このとき、ＣＰＵ１３ＡのＥｎａｂｌｅ端子の端子電圧はハイであるので、Ｅｎａｂｌｅ信号はハイの電圧値を示す信号となる。また、Ｅｎａｂｌｅ信号はハイの電圧値を示す信号であるので、Ｅｎａｂｌｅ部１６Ｂの端子部の端子電圧もハイの電圧となる。この場合、内蔵タグ１６は、非能動化された状態（非能動状態：図２中の内蔵タグ１６のＳｔａｔｕｓにおける「Ｐｏｗｅｒ  Ｏｎ  Ｂｕｔ  Ｄｉｓａｂｌｅ」に該当）となり、且つ、内蔵タグ部１１も非能動状態となる。このため、内蔵タグ部１１は、リーダライタＩＣ１９からアンテナ１４を介してタグ探索信号（ＲＦＩＤタグを探索するための信号）を受信しても、リーダライタＩＣ１９にレスポンスを返さない。
【００４５】
これに対し、アクセス対象のＲＦＩＤタグは、リーダライタＩＣ１９からタグ探索信号を受信して、リーダライタＩＣ１９にレスポンスを返す（図２中のタグ（ＲＷ対象物）における「レスポンス」に該当）。すなわち、リーダライタＩＣ１９が受信するレスポンスは、アクセス対象のＲＦＩＤタグからのレスポンスのみとなるため、タイムスロットは１つで済む。
【００４６】
以上、本実施の形態によれば、リーダライタ部１２の動作時に、Ｅｎａｂｌｅ部１６Ｂにハイの電圧値を示すＥｎａｂｌｅ信号が入力され、内蔵タグ部１１は非能動化される。このため、リーダライタ部１２の動作時において、内蔵タグ１６は、リーダライタＩＣ１９にタグ探索信号に対するレスポンスを返すことができないので、リーダライタＩＣ１９が受信するレスポンスは、アクセス対象のＲＦＩＤタグからのレスポンスのみとなり、タイムスロットを１つとすることができる。そうすると、内蔵タグ１６と、アクセス対象のＲＦＩＤタグとの混信を防ぐことができるとともに、この混信を防ぐためにタイムスロットを増やす必要がなくなるので、ＲＦＩＤタグを検出するために要する処理時間が増えることによるタグ探索性能の低下を防止することができる。このため、内蔵タグを備えたリーダライタ機器の性能低下を防ぐことができる。
【００４７】
また、リーダライタ動作時以外は、内蔵タグ１６が動作するので、リーダライタ機器１のトレーサビリティなどの目的で内蔵タグ１６を使用する際に、外部のリーダライタで内蔵タグ１６にアクセスできるようになる。
【００４８】
（第１の変形例）
図３及び図４を参照して、上記実施の形態の第１の変形例を説明する。以下、上記実施の形態と同様な部分には同一の符号を付し、その詳細な説明を援用し、異なる部分について説明する。
【００４９】
本変形例のリーダライタ機器１Ａは、リーダライタ機器１の内蔵タグ部１１を内蔵タグ部１１Ａに変更したものである。
【００５０】
図３に本変形例のリーダライタ機器１Ａの回路構成図を示す。図３に示すように、リーダライタ機器１Ａは、内蔵タグ部１１Ａに利得変化部１５Ａを備える。また、内蔵タグ１６１は、Ａｎｔ端子１６Ａのみを備える構成である。
【００５１】
利得変化部１５Ａは、アンテナ１４のマッチング（アンテナ１４の利得特性）をずらす（変化させる）ための回路である。利得変化部１５Ａは、スイッチＳＷ２と、コンデンサＣと、を備える。
【００５２】
スイッチＳＷ２は、ＣＰＵ１３ＡからのＥｎａｂｌｅ信号に基づいて、ＯＮ又はＯＦＦされる。例えば、リーダライタ部１２が動作中である場合、ＣＰＵ１３Ａの指示により、ＣＰＵ１３ＡのＥｎａｂｌｅ端子の端子電圧はハイの端子電圧に設定されるとともに、Ｅｎａｂｌｅ信号はハイの電圧値を示す信号（アンテナ１４の利得特性を変化させる信号）に設定される。そして、ＣＰＵ１３Ａの指示により、Ｅｎａｂｌｅ信号は利得変化部１５ＡのスイッチＳＷ２に入力される。このとき、スイッチＳＷ２はＯＮされる。スイッチＳＷ２がＯＮされると、マッチング回路１５は、コンデンサＣを含む構成となる。このため、アンテナ１４の利得特性が変化する。
【００５３】
次に、図４を参照して、リーダライタ機器１Ａの動作シーケンスについて説明する。以下、図２と異なる部分を主として説明する。図４において、ＣＰＵ１３Ａにより、ＣＰＵ１３ＡのＥｎａｂｌｅ端子の端子電圧がロー（図４中のＣＰＵ１３ＡのＥｎａｂｌｅ端子におけるＥｎａｂｌｅに該当）からハイ（図４中のＣＰＵ１３ＡのＥｎａｂｌｅ端子におけるＤｉｓａｂｌｅに該当）に変化させられる動作までは図２と同様である。
【００５４】
そして、内蔵タグ部１１ＡのスイッチＳＷ２がＯＮされる。スイッチＳＷ２がＯＮされると、アンテナ１４の利得特性が変化するため、アンテナ１４が受信した電波を内蔵タグ１６１に十分に伝えることができなくなる。このため、内蔵タグ１６１は、動作電力を作ることができず、非能動状態（図４中の内蔵タグ１６１のＳｔａｔｕｓにおける「Ｐｏｗｅｒ  Ｄｏｗｎ」に該当）となり、且つ、内蔵タグ部１１Ａも非能動状態となる。このため、内蔵タグ部１１Ａは、リーダライタＩＣ１９からアンテナ１４を介してタグ探索信号を受信しても、リーダライタＩＣ１９にレスポンスを返すことができない。
【００５５】
これに対し、アクセス対象のＲＦＩＤタグは、リーダライタＩＣ１９からタグ探索信号を受信して、リーダライタＩＣ１９にレスポンスを返す（図４中のタグ（ＲＷ対象物）における「レスポンス」に該当）。すなわち、リーダライタＩＣ１９が受信するレスポンスは、アクセス対象のＲＦＩＤタグからのレスポンスのみとなるため、タイムスロットは１つで済む。
【００５６】
また、図３に示すリーダライタ機器１Ａの代わりに、図５に示すリーダライタ機器１Ｂの構成としてもよい。図５に示すリーダライタ機器１Ｂは、リーダライタ機器１の内蔵タグ部１１を内蔵タグ部１１Ｂに変更したものである。
【００５７】
内蔵タグ部１１Ｂは、スイッチＳＷ３を備える。スイッチＳＷ３は、マッチング回路１５と、内蔵タグ１６１とを接続するための回路線（線路）を切断又は結合するためのスイッチである。
【００５８】
具体的には、スイッチＳＷ３は、ＣＰＵ１３ＡからのＥｎａｂｌｅ信号に基づいて、ＯＮ又はＯＦＦする。例えば、リーダライタ部１２が動作中である場合、ＣＰＵ１３ＡのＥｎａｂｌｅ端子の端子電圧はＣＰＵ１３Ａによりハイの端子電圧に設定されるとともに、Ｅｎａｂｌｅ信号もハイの電圧値を示す信号（マッチング回路１５と内蔵タグ１６１との線路を切断するための信号）に設定される。そして、ＣＰＵ１３Ａの指示により、Ｅｎａｂｌｅ信号がスイッチＳＷ３に入力される。このとき、スイッチＳＷ３はＯＦＦされ、マッチング回路１５と内蔵タグ１６１との線路が切断される。線路が切断されると、アンテナ１４が受信した電波を内蔵タグ１６１に十分に伝えることができなくなる。このため、内蔵タグ１６１は、動作電力を作ることができず、非能動状態となり、且つ、内蔵タグ部１１Ｂも非能動状態となる。このため、内蔵タグ部１１Ｂは、リーダライタＩＣ１９からアンテナ１４を介してタグ探索信号を受信しても、リーダライタＩＣ１９にレスポンスを返すことができない。
【００５９】
また、図５の構成におけるリーダライタ機器１Ｂの動作シーケンスは、図４と同様となる。
【００６０】
以上、本変形例によれば、実施の形態と同様の効果を有するとともに、実施の形態の構成（内蔵タグ１６のＡｎｔ端子１６Ａ及びＥｎａｂｌｅ部１６Ｂから３本の回路線が出力される構成）と比較して、内蔵タグ１６のＡｎｔ端子１６Ａのみから２本の回路線が出力される一般的な構成とすることができるので、汎用性の高いリーダライタ機器の構成を実現することができる。
【００６１】
（第２の変形例）
図６及び図７を参照して、上記実施の形態の第２の変形例を説明する。以下、上記実施の形態及び第１の変形例と同様な部分には同一の符号を付し、その詳細な説明を援用し、異なる部分について説明する。
【００６２】
本変形例のリーダライタ機器１Ｃは、リーダライタ機器１の内蔵タグ部１１を内蔵タグ部１１Ｃに変更し、リーダライタ機器１のリーダライタ部１２をリーダライタ部１２Ｃに変更したものである。
【００６３】
図６に本変形例のリーダライタ機器１Ｃの回路構成図を示す。図６に示すように、内蔵タグ部１１Ｃは、マッチング回路１５と、内蔵タグ１６１と、を備える。
本変形例では、スイッチＳＷ４，ＳＷ５によりアンテナ１７からの回路線がマッチング回路１５に接続されたときは、アンテナ１７が内蔵タグ部１１Ｃのアンテナとして機能する。この場合、内蔵タグ部１１Ｃは、アンテナ１７を備える構成となる。
【００６４】
リーダライタＩＣ１２Ｃは、切換スイッチとしてのスイッチＳＷ４，ＳＷ５を備える。スイッチＳＷ４，ＳＷ５は、アンテナ１７からの回路線を、リーダライタ部１２Ｃのマッチング回路１８、又は内蔵タグ部１１Ｃのマッチング回路１５に接続するためのスイッチである。
【００６５】
具体的には、スイッチＳＷ４，ＳＷ５は、ＣＰＵ１３ＡからのＥｎａｂｌｅ信号に基づいて、アンテナ１７からの回路線をリーダライタ部１２Ｃのマッチング回路１８又は内蔵タグ部１１Ｃのマッチング回路１５に接続するように切り換えられる。
【００６６】
例えば、リーダライタ部１２Ｃが動作中である場合、ＣＰＵ１３Ａの指示により、ＣＰＵ１３ＡのＥｎａｂｌｅ端子の端子電圧はハイの端子電圧に設定されるとともに、Ｅｎａｂｌｅ信号はハイの電圧値を示す信号（アンテナ１７と、マッチング回路１８とを接続させるための信号）に設定される。そして、ＣＰＵ１３Ａの指示により、Ｅｎａｂｌｅ信号はスイッチＳＷ４，ＳＷ５に入力される。このとき、スイッチＳＷ４，ＳＷ５は、アンテナ１７からの回路線をマッチング回路１８に接続する。
【００６７】
また、リーダライタ部１２Ｃが非動作時である場合、ＣＰＵ１３ＡのＥｎａｂｌｅ端子の端子電圧はローの端子電圧となり、Ｅｎａｂｌｅ信号はローの電圧値を示す信号（アンテナ１７と、マッチング回路１５とを接続させるための信号）となる。そして、Ｅｎａｂｌｅ信号は、スイッチＳＷ４，ＳＷ５に入力される。このとき、スイッチＳＷ４，ＳＷ５は、アンテナ１７からの回路線を内蔵タグ部１１Ｃのマッチング回路１５に接続する。
【００６８】
また、アンテナ１７は、スイッチＳＷ４，ＳＷ５の切り換えに応じて、リーダライタ部１２Ｃのアンテナ又は内蔵タグ部１１Ｃのアンテナ（共通アンテナ）として機能する。
【００６９】
次に、図７を参照して、リーダライタ機器１Ｃの動作シーケンスについて説明する。以下、図２と異なる部分を主として説明する。図７において、ＣＰＵ１３Ａにより、ＣＰＵ１３ＡのＥｎａｂｌｅ端子の端子電圧がロー（図７中のＣＰＵ１３ＡのＥｎａｂｌｅ端子のＥｎａｂｌｅに該当）からハイ（図７中のＣＰＵ１３ＡのＥｎａｂｌｅ端子のＤｉｓａｂｌｅに該当）に変化させられる動作までは図２と同様である。
【００７０】
そして、スイッチＳＷ４，ＳＷ５がアンテナ１７からの回路線と内蔵タグ部１１Ｃのマッチング回路１５との接続を切り離し、アンテナ１７からの回路線とリーダライタ部１２Ｃのマッチング回路１８とを接続する。この場合、内蔵タグ１６１は、アンテナ１７からの回路線と切断されているため電波を受信できない。このため、内蔵タグ部１６１は動作電力を作ることができず、非能動状態（図７中の内蔵タグ１６１のＳｔａｔｕｓにおける「Ｐｏｗｅｒ  Ｄｏｗｎ」に該当）となり、且つ、内蔵タグ部１１Ｃも非能動状態となる。このため、内蔵タグ部１１Ｃは、リーダライタＩＣ１９からアンテナ１４を介してタグ探索信号を受信しても、リーダライタＩＣ１９にレスポンスを返すことができない。
【００７１】
これに対し、アクセス対象のＲＦＩＤタグは、リーダライタＩＣ１９からタグ探索信号を受信して、リーダライタＩＣ１９にレスポンスを返す（図７中のタグ（ＲＷ対象物）における「レスポンス」に該当）。すなわち、リーダライタＩＣ１９が受信するレスポンスは、アクセス対象のＲＦＩＤタグからのレスポンスのみとなるため、タイムスロットは１つで済む。
【００７２】
以上、本変形例によれば、実施の形態と同様の効果を有するとともに、アンテナ１７を内蔵タグ部１１Ｃと、リーダライタ部１２Ｃとで共通化して利用することができるので、リーダライタ機器１Ｃの小型化を図ることができる。
【００７３】
なお、上記実施の形態及び各変形例における記述は、本発明に係るリーダライタ装置の一例であり、これに限定されるものではない。例えば、上記実施の形態及び上記変形例のうち少なくとも２つを組み合わせる構成としてもよい。
【００７４】
また、図３において、利得変化部１５ＡにコンデンサＣを備える構成としたがこれに限定されるものではない。例えば、コンデンサＣの代わりに、抵抗ＲやインダクタＬを備える構成としてもよい。
【００７５】
また、図６において、リーダライタ部１２Ｃのアンテナ１７を共通アンテナとしたがこれに限定されるものではない。例えば、内蔵タグ部１１Ｃがアンテナを有し、当該アンテナを共通アンテナとしてもよい。この場合、内蔵タグ部１１Ｃは、アンテナとともに、スイッチＳＷ４，及びスイッチＳＷ５を備える構成となる。
【００７６】
また、上記実施の形態及び各変形例におけるリーダライタ装置の各構成要素の細部構成及び細部動作に関しては、本発明の趣旨を逸脱することのない範囲で適宜変更可能であることは勿論である。
【符号の説明】
【００７７】
１，１Ａ，１Ｂ，１Ｃ リーダライタ機器
１１，１１Ａ，１１Ｂ，１１Ｃ       内蔵タグ部
１２，１２Ｃ  リーダライタ部
１３   制御部
１３Ａ ＣＰＵ
１３Ｂ ＧＰＩＯ
１３Ｃ シリアル端子
１４   アンテナ
１５   マッチング回路
１５Ａ 利得変化部
１６，１６１  内蔵タグ
１６Ａ   Ａｎｔ端子
１６Ｂ  Ｅｎａｂｌｅ部
１７   アンテナ
１８   マッチング回路
１９Ａ Ａｎｔ端子
１９Ｂ 制御端子
１９Ｃ シリアル端子
ＳＷ１，ＳＷ２，ＳＷ３，ＳＷ４，ＳＷ５    スイッチ
【図１】
2011048600.tif 000003
【図２】
2011048600.tif 000004
【図３】
2011048600.tif 000005
【図４】
2011048600.tif 000006
【図５】
2011048600.tif 000007
【図６】
2011048600.tif 000008
【図７】
2011048600.tif 000009
【図８】
2011048600.tif 000010
【図９】
2011048600.tif 000011
【図１０】
2011048600.tif 000012
【図１１】
2011048600.tif 000013